Podtech/llm-jp-corpus-v4-ja_patent huggingface dataset:
(57)【特許請求の範囲】
【請求項１】
かご用ガイドレールの上部又はかご用ガイドレールの設置位置付近の昇降路天井に取り付けた上部回動体と、この上部回動体よりも前記かご用ガイドレールから離れた昇降路天井に取り付けた第２上部回動体と、前記上部回動体よりも下方位置に取り付けた下部回動体と、昇降路天井に固定したかご用フックに取り付けた吊り上げ手段とを備え、
一側が前記かご用ガイドレールから離れた位置に設置される第１エレベータ機器に取り付けられ、前記第２上部回動体、前記下部回動体を介して前記吊り上げ手段に至る条体により前記第１エレベータ機器を吊り上げ、
一側が前記第１エレベータ機器よりも前記かご用ガイドレールに近い位置に設置される第２エレベータ機器に取り付けられ、前記上部回動体、前記下部回動体を介して前記吊り上げ手段に至る条体により前記第２エレベータ機器を吊り上げるように構成したことを特徴とするエレベータ機器の吊り上げ装置。
【請求項２】
かご用ガイドレールの上部又はかご用ガイドレールの設置位置付近の昇降路天井に取り付けた上部回動体と、この上部回動体よりも前記かご用ガイドレールから離れた昇降路天井に取り付けた第２上部回動体と、前記上部回動体よりも下方位置に取り付けた下部回動体と、最上階乗場に設置した吊り上げ手段とを備え、
一側が前記かご用ガイドレールから離れた位置に設置される第１エレベータ機器に取り付けられ、前記第２上部回動体、前記下部回動体を介して前記吊り上げ手段に至る条体により前記第１エレベータ機器を吊り上げ、
一側が前記第１エレベータ機器よりも前記かご用ガイドレールに近い位置に設置される第２エレベータ機器に取り付けられ、前記上部回動体、前記下部回動体を介して前記吊り上げ手段に至る条体により前記第２エレベータ機器を吊り上げるように構成したことを特徴とするエレベータ機器の吊り上げ装置。
【請求項３】
前記回動体はプーリであり、前記条体はワイヤロープであり、前記吊り上げ手段はホイストであることを特徴とする請求項１又は２に記載のエレベータ機器の吊り上げ装置。
【発明の詳細な説明】
【０００１】
【発明の属する技術分野】
本発明はエレベータ昇降路の天井付近の高さ位置へ設置されるエレベータ機器を吊り上げる装置に関するものである。
【０００２】
【従来の技術】
シーブや巻上機などのエレベータ機器を昇降路の天井付近に設置する場合、普通は図２に示すように、昇降路１の天井２に固定されたフック３に取り付けたチェーンブロックやホイストなどの吊り上げ手段４を用いて、エレベータ機器５を吊り上げている。
【０００３】
【発明が解決しようとする課題】
しかしながら、前記の吊り上げ方法では、最高吊上位置におけるエレベータ機器５の上面から昇降路天井２までの寸法ａは４００mm程度必要であった。そのため、エレベータ機器５を更に高い位置に吊り上げる必要があるときは、人力による作業となり、危険が伴うという問題があった。
【０００４】
【課題を解決するための手段】
本発明は、かご用ガイドレールの上部に取り付けた上部回動体と、昇降路天井に取り付けた第２上部回動体と、前記上部回動体よりも下方位置に取り付けた下部回動体と、昇降路天井に固定したかご吊り用のフックに取り付けた吊り上げ手段とを備え、一側が第１エレベータ機器に取り付けられ、第２上部回動体、下部回動体を介して吊り上げ手段に至るロープ等の条体により第１エレベータ機器を吊り上げ、一側が第２エレベータ機器に取り付けられ、上部回動体、下部回動体を介して吊り上げ手段に至るロープ等の条体により第2エレベータ機器を吊り上げることによってエレベータ機器を吊り上げるものである。
また本発明は、前記上部回動体をかご用ガイドレールの設置位置付近の昇降路天井に取り付けたものであり、更に前記吊り上げ手段をフックではなく最上階乗場に設置したものである。
【０００５】
【発明の実施の形態】
本発明の実施の形態を図１により説明する。
昇降路１の天井２には、かご吊り用のフック１０、つり合いおもり吊り用のフック１１が予め固定されている。かご用ガイドレール１２、つり合いおもり用ガイドレール１３を設置して、ガイドレール１２の上端に固定したブラケット１４に上部プーリ１５を枢着する。１６はガイドレール１２の補強板である。そしてガイドレール１２の最上階乗場１７付近の位置に下部プーリ１８を取り付ける。ここでは、補強板１６の取付穴にワイヤロープを挿入して下部プーリ１８を取り付けているが、補強板１６を使用しない場合にはワイヤロープをガイドレール１２に巻き付ける。またガイドレール１３の上部付近の天井２には、第２上部プーリ２０を取り付け、フック１０にはホイスト２１を取り付ける。
【０００６】
そして、シーブ３０を有する第１エレベータ機器３１にロープ３２を掛け、第２上部プーリ２０，下部プーリ１８を介してホイスト２１で吊り上げてガイドレール１３上に設置する。次に、シーブ４０を有する第２エレベータ機器４１にロープ４２を掛け、上部プーリ１５，下部プーリ１８を介してホイスト２１で吊り上げ、一方を第1エレベータ機器３１に、他方を補強板１６を介してガイドレール１２に固定する。
【０００７】
前記のように、本実施の形態によれば、エレベータ機器３１，４１の上にあるのは比較的寸法の小さいプーリ１５，２０であるため、従来に比べより上方までエレベータ機器３１，４１を吊り上げることができる。
【０００８】
前記実施の形態では、シーブを有するエレベータ機器を吊り上げる場合を示しているが、巻上機等を有することもあり、支持梁のみのこともある。また、上部プーリ１５は天井２に設置することもできる。
更に、ロープ３２，４２の使用時に、ガイドレール１２，１３等が邪魔にならない配置の現場であれば、ホイスト２１を最上階乗場１７に設置して、下部プーリ１８からのロープ３２，４２を乗場のホイストへ至るように配置することもできるし、また下部プーリ１８は、取付可能であれば、ガイドレール１２以外の場所へ取り付けてもよい。
【０００９】
更に、ホイストに代えてチェーンブロックを使用することもできる。このとき、ワイヤロープの全部又は一部をチェーンに代え、各プーリは全部又は一部をスプロケットに代える。
【００１０】
【発明の効果】
以上説明したように、本発明によれば、従来に比べより上方までエレベータ機器を吊り上げることができる。
【図面の簡単な説明】
【図１】本発明の実施の形態を示す図である。
【図２】従来のエレベータ機器の吊り上げ装置を示す図である。
【符号の説明】
１  昇降路
２  昇降路の天井
３，１０，１１  フック
４，２１  吊り上げ手段
１２，１３  ガイドレール
１５，１８，２０  プーリ
３１  第1エレベータ機器
４１  第2エレベータ機器
【図１】
0004058915.tif 000002
【図２】
0004058915.tif 000003